(57)【要約】【課題】「ｆｕｌｌ  ｃｏｎｆｉｇｕｒａｔｉｏｎ」を伴うＩｎｔｅｒ-ｅＮＢハンドオーバにおいて、ＵＬ-ＰＤＣＰ-ＰＤＵを適切に処理する【解決手段】本発明に係る移動通信方法は、移動局ＵＥの無線基地局ｅＮＢ＃１から無線基地局ｅＮＢ＃２へのＩｎｔｅｒ-ｅＮＢハンドオーバにおいて、無線基地局ｅＮＢ＃２が、移動局ＵＥに対して、移動局ＵＥと無線基地局ｅＮＢ＃１との間の全ての設定を一旦削除するように指示する場合、無線基地局ｅＮＢ＃１が、受信に成功した全てのＵＬ-ＰＤＣＰ-ＰＤＵを破棄する工程を有する。【選択図】図３
2015050592.tif 000002
【特許請求の範囲】
【請求項１】
移動局が、第１無線基地局配下のセルから第２無線基地局配下のセルへのハンドオーバを行う移動通信方法であって、
前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵを破棄する工程を有することを特徴とする移動通信方法。
【請求項２】
移動局が、第１無線基地局配下のセルから第２無線基地局配下のセルへのハンドオーバを行う移動通信方法であって、
前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵをゲートウェイ装置に対して送信する工程を有することを特徴とする移動通信方法。
【請求項３】
移動局が、第１無線基地局配下のセルから第２無線基地局配下のセルへのハンドオーバを行う移動通信方法であって、
前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵを該第２無線基地局に対して転送する工程と、
前記第２無線基地局が、受信した前記ＵＬ-ＰＤＣＰ-ＰＤＵをゲートウェイ装置に対して送信する工程とを有することを特徴とする移動通信方法。
【請求項４】
移動局が、第１無線基地局配下のセルから第２無線基地局配下のセルへのハンドオーバを行う移動通信方法であって、
前記ハンドオーバにおいて、前記第２無線基地局によって送信されたハンドオーバ要求応答信号によって、上りリンクデータ転送用のパスの識別子が通知されていない場合に、前記第１無線基地局が、受信に成功した全てのＵＬ-ＰＤＣＰ-ＰＤＵを破棄する工程を有することを特徴とする移動通信方法。
【請求項５】
移動局が、第１無線基地局配下のセルから第２無線基地局配下のセルへのハンドオーバを行う移動通信方法であって、
前記ハンドオーバにおいて、前記第２無線基地局によって送信されたハンドオーバ要求応答信号によって、上りリンクデータ転送用のパスの識別子が通知されていない場合に、前記第１無線基地局が、受信に成功した全てのＵＬ-ＰＤＣＰ-ＰＤＵをゲートウェイ装置に対して送信する工程を有することを特徴とする移動通信方法。
【請求項６】
移動局が、第１無線基地局配下のセルから第２無線基地局配下のセルへのハンドオーバを行う移動通信方法であって、
前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵを破棄する工程を有することを特徴とする移動通信方法。
【請求項７】
移動局が、第１無線基地局配下のセルから第２無線基地局配下のセルへのハンドオーバを行う移動通信方法であって、
前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵをゲートウェイ装置に送信する工程を有することを特徴とする移動通信方法。
【請求項８】
移動局が、第１無線基地局配下のセルから第２無線基地局配下のセルへのハンドオーバを行う移動通信方法であって、
前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵを該第２無線基地局に対して転送する工程と、
前記第２無線基地局が、受信した前記ＵＬ-ＰＤＣＰ-ＰＤＵをゲートウェイ装置に対して送信する工程とを有することを特徴とする移動通信方法。
【請求項９】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局が、前記移動局に対して、自身と該移動局との間の全ての設定を一旦削除するように指示する場合、受信に成功した全てのＵＬ-ＰＤＣＰ-ＰＤＵを破棄するように構成されている制御部を具備することを特徴とする無線基地局。
【請求項１０】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局が、前記移動局に対して、自身と該移動局との間の全ての設定を一旦削除するように指示する場合、受信に成功した全てのＵＬ-ＰＤＣＰ-ＰＤＵを該第２無線基地局又はゲートウェイ装置に対して送信するように構成されている送信部を具備することを特徴とする無線基地局。
【請求項１１】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局によって送信されたハンドオーバ要求応答信号によって、上りリンクデータ転送用のパスの識別子が通知されていない場合に、受信に成功した全てのＵＬ-ＰＤＣＰ-ＰＤＵを破棄するように構成されている制御部を具備することを特徴とする無線基地局。
【請求項１２】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局によって送信されたハンドオーバ要求応答信号によって、上りリンクデータ転送用のパスの識別子が通知されていない場合に、受信に成功した全てのＵＬ-ＰＤＣＰ-ＰＤＵをゲートウェイ装置に対して送信するように構成されている送信部を具備することを特徴とする無線基地局。
【請求項１３】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局によって自身と前記移動局との間で設定されていたＲＬＣ-ＡＭベアラが設定できない場合に、該ＲＬＣ-ＡＭベアラを介して受信に成功した全てのＵＬ-ＰＤＣＰ-ＰＤＵを破棄するように構成されている制御部を具備することを特徴とする無線基地局。
【請求項１４】
移動局が、第１無線基地局配下のセルから第２無線基地局配下のセルへのハンドオーバを行う際に、該第１無線基地局として動作することができる無線基地局であって、
前記ハンドオーバにおいて、前記第２無線基地局によって自身と前記移動局との間で設定されていたＲＬＣ-ＡＭベアラが設定できない場合に、該ＲＬＣ-ＡＭベアラを介して受信に成功した全てのＵＬ-ＰＤＣＰ-ＰＤＵを該第２無線基地局又はゲートウェイ装置に送信するように構成されている送信部を具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、無線基地局ｅＮＢごとに、対応しているリリース（Ｒｅｌｅａｓｅ）や機能が異なり得るため、無線基地局ｅＮＢ間で、ハンドオーバを行う際には、無線基地局ｅＮＢと移動局ＵＥとの間で「ｃｏｎｆｉｇｕｒａｔｉｏｎ（設定）」の齟齬がないように制御する必要がある。
【０００３】
ハンドオーバ先無線基地局Ｔ-ｅＮＢによって設定される「Ｈａｎｄｏｖｅｒ  Ｃｏｍｍａｎｄ」内の情報要素「ｃｏｎｆｉｇｕｒａｔｉｏｎ」として、基本的に、「ｄｅｌｔａ  ｃｏｎｆｉｇｕｒａｔｉｏｎ」、すなわち、現状の「ｃｏｎｆｉｇｕｒａｔｉｏｎ」からの差分が通知されるため、古いリリースに対応しているハンドオーバ先無線基地局Ｔ-ｅＮＢが、最近のリリースに対応しているハンドオーバ元無線基地局Ｓ-ｅＮＢにおける「ｃｏｎｆｉｇｕｒａｔｉｏｎ」を削除しないまま、移動局ＵＥを制御することとなり、呼制御観点から望ましくない。
【０００４】
そこで、移動局ＵＥとハンドオーバ元無線基地局Ｓ-ｅＮＢとの間で「ｃｏｎｆｉｇｕｒａｔｉｏｎ」の齟齬がないように、ハンドオーバに伴って、ハンドオーバ元無線基地局Ｓ-ｅＮＢにおける全ての「ｃｏｎｆｉｇｕｒａｔｉｏｎ」を一旦削除する機構として「ｆｕｌｌ  ｃｏｎｆｉｇｕｒａｔｉｏｎ」が規定された（非特許文献１及び２参照）。
【０００５】
移動局ＵＥは、情報要素「ｆｕｌｌ  ｃｏｎｆｉｇｕｒａｔｉｏｎ」を含む「Ｈａｎｄｏｖｅｒ  Ｃｏｍｍａｎｄ」を受信すると、全ての「ｃｏｎｆｉｇｕｒａｔｉｏｎ」を一旦削除する（ベアラの解放も含む）。
【０００６】
また、Ｉｎｔｅｒ-ｅＮＢハンドオーバにおいて、ハンドオーバ元無線基地局Ｓ-ｅＮＢは、ハンドオーバ先無線基地局Ｔ-ｅＮＢに対して、滞留している下りリンクデータ及び上りリンクデータを転送することで、移動局ＵＥが移動したとしても通信を継続することができる。
【０００７】
なお、Ｉｎｔｅｒ-ｅＮＢハンドオーバでは、通常のデータ転送において、ハンドオーバ元無線基地局Ｓ-ｅＮＢのＲＬＣ-ＡＭ（Ｒａｄｉｏ  Ｌｉｎｋ  Ｃｏｎｔｒｏｌ-Ａｃｋｎｏｗｌｅｄｇｅｄ  Ｍｏｄｅ）機能は、以下の動作を行うことが規定されている（非特許文献１参照）。
【０００８】
下りリンクにおいて、ハンドオーバ元無線基地局Ｓ-ｅＮＢのＲＬＣ-ＡＭ機能は、ＲＬＣレイヤにおいてＡＣＫを受信していないＵＬ-ＰＤＣＰ-ＳＤＵ（Ｕｐｌｉｎｋ-Ｐａｃｋｅｔ  Ｄａｔａ  Ｃｏｎｖｅｒｇｅｎｃｅ-Ｓｅｒｖｉｃｅ  Ｄａｔａ  Ｕｎｉｔ）を転送或いは破棄するように構成されている。
【０００９】
一方、上りリンクにおいて、ハンドオーバ元無線基地局Ｓ-ｅＮＢのＲＬＣ-ＡＭ機能は、シーケンス番号通りに受信できているＵＬ-ＰＤＣＰ-ＰＤＵをゲートウェイ装置Ｓ-ＧＷに転送し、シーケンス番号通りに受信できていないＵＬ-ＰＤＣＰ-ＰＤＵについては、ハンドオーバ先無線基地局Ｔ-ｅＮＢに転送するか或いは破棄するように構成されている。
【先行技術文献】
【非特許文献】
【００１０】
【非特許文献１】３ＧＰＰ  ＴＳ３６.３００
【非特許文献２】３ＧＰＰ  ＴＳ３６.３３１
【発明の概要】
【発明が解決しようとする課題】
【００１１】
しかしながら、現在のＬＴＥ方式では、「ｆｕｌｌ  ｃｏｎｆｉｇｕｒａｔｉｏｎ」を伴うＩｎｔｅｒ-ｅＮＢハンドオーバにおいて、ハンドオーバ元無線基地局Ｓ-ｅＮＢのＲＬＣ-ＡＭ機能は、ＵＬ-ＰＤＣＰ-ＰＤＵについて、どのようにハンドリングするべきであるかについて明確ではないという問題点があった。
【００１２】
そこで、本発明は、上述の課題に鑑みてなされたものであり、「ｆｕｌｌ  ｃｏｎｆｉｇｕｒａｔｉｏｎ」を伴うＩｎｔｅｒ-ｅＮＢハンドオーバにおいて、ＵＬ-ＰＤＣＰ-ＰＤＵを適切に処理することができる移動通信方法及び無線基地局を提供することを目的とする。
【課題を解決するための手段】
【００１３】
本発明の第１の特徴は、移動局が、第１無線基地局配下のセルから第２無線基地局配下のセルへのハンドオーバを行う移動通信方法であって、前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵを破棄する工程を有することを要旨とする。
【００１４】
本発明の第２の特徴は、移動局が、第１無線基地局配下のセルから第２無線基地局配下のセルへのハンドオーバを行う移動通信方法であって、前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵをゲートウェイ装置に対して送信する工程を有することを要旨とする。
【００１５】
本発明の第３の特徴は、移動局が、第１無線基地局配下のセルから第２無線基地局配下のセルへのハンドオーバを行う移動通信方法であって、前記ハンドオーバにおいて、前記第２無線基地局が、前記移動局に対して、該移動局と前記第１無線基地局との間の全ての設定を一旦削除するように指示する場合、該第１無線基地局が、受信に成功した全てのＵＬ-ＰＤＣＰ-ＰＤＵを該第２無線基地局に対して転送する工程と、前記第２無線基地局が、受信した前記ＵＬ-ＰＤＣＰ-ＰＤＵをゲートウェイ装置に対して送信する工程とを有することを要旨とする。
【００１６】
本発明の第４の特徴は、移動局が、第１無線基地局配下のセルから第２無線基地局配下のセルへのハンドオーバを行う移動通信方法であって、前記ハンドオーバにおいて、前記第２無線基地局によって送信されたハンドオーバ要求応答信号によって、上りリンクデータ転送用のパスの識別子が通知されていない場合に、前記第１無線基地局が、受信に成功した全てのＵＬ-ＰＤＣＰ-ＰＤＵを破棄する工程を有することを要旨とする。
【００１７】
本発明の第５の特徴は、移動局が、第１無線基地局配下のセルから第２無線基地局配下のセルへのハンドオーバを行う移動通信方法であって、前記ハンドオーバにおいて、前記第２無線基地局によって送信されたハンドオーバ要求応答信号によって、上りリンクデータ転送用のパスの識別子が通知されていない場合に、前記第１無線基地局が、受信に成功した全てのＵＬ-ＰＤＣＰ-ＰＤＵをゲートウェイ装置に対して送信する工程を有することを要旨とする。
【００１８】
本発明の第６の特徴は、移動局が、第１無線基地局配下のセルから第２無線基地局配下のセルへのハンドオーバを行う移動通信方法であって、前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵを破棄する工程を有することを要旨とする。
【００１９】
本発明の第７の特徴は、移動局が、第１無線基地局配下のセルから第２無線基地局配下のセルへのハンドオーバを行う移動通信方法であって、前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵをゲートウェイ装置に送信する工程を有することを要旨とする。
【００２０】
本発明の第８の特徴は、移動局が、第１無線基地局配下のセルから第２無線基地局配下のセルへのハンドオーバを行う移動通信方法であって、前記ハンドオーバにおいて、前記第２無線基地局によって前記第１無線基地局と前記移動局との間で設定されていたＲＬＣ-ＡＭベアラが設定できない場合に、前記第１無線基地局が、該ＲＬＣ-ＡＭベアラを介して受信に成功した全てのＵＬ-ＰＤＣＰ-ＰＤＵを該第２無線基地局に対して転送する工程と、前記第２無線基地局が、受信した前記ＵＬ-ＰＤＣＰ-ＰＤＵをゲートウェイ装置に対して送信する工程とを有することを要旨とする。
【００２１】
本発明の第９の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局が、前記移動局に対して、自身と該移動局との間の全ての設定を一旦削除するように指示する場合、受信に成功した全てのＵＬ-ＰＤＣＰ-ＰＤＵを破棄するように構成されている制御部を具備することを要旨とする。
【００２２】
本発明の第１０の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局が、前記移動局に対して、自身と該移動局との間の全ての設定を一旦削除するように指示する場合、受信に成功した全てのＵＬ-ＰＤＣＰ-ＰＤＵを該第２無線基地局又はゲートウェイ装置に対して送信するように構成されている送信部を具備することを要旨とする。
【００２３】
本発明の第１１の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局によって送信されたハンドオーバ要求応答信号によって、上りリンクデータ転送用のパスの識別子が通知されていない場合に、受信に成功した全てのＵＬ-ＰＤＣＰ-ＰＤＵを破棄するように構成されている制御部を具備することを要旨とする。
【００２４】
本発明の第１２の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局によって送信されたハンドオーバ要求応答信号によって、上りリンクデータ転送用のパスの識別子が通知されていない場合に、受信に成功した全てのＵＬ-ＰＤＣＰ-ＰＤＵをゲートウェイ装置に対して送信するように構成されている送信部を具備することを要旨とする。
【００２５】
本発明の第１３の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局によって自身と前記移動局との間で設定されていたＲＬＣ-ＡＭベアラが設定できない場合に、該ＲＬＣ-ＡＭベアラを介して受信に成功した全てのＵＬ-ＰＤＣＰ-ＰＤＵを破棄するように構成されている制御部を具備することを要旨とする。
【００２６】
本発明の第１４の特徴は、移動局が、第１無線基地局配下のセルから第２無線基地局配下のセルへのハンドオーバを行う際に、該第１無線基地局として動作することができる無線基地局であって、前記ハンドオーバにおいて、前記第２無線基地局によって自身と前記移動局との間で設定されていたＲＬＣ-ＡＭベアラが設定できない場合に、該ＲＬＣ-ＡＭベアラを介して受信に成功した全てのＵＬ-ＰＤＣＰ-ＰＤＵを該第２無線基地局又はゲートウェイ装置に送信するように構成されている送信部を具備することを要旨とする。
【発明の効果】
【００２７】
以上説明したように、本発明によれば、「ｆｕｌｌ  ｃｏｎｆｉｇｕｒａｔｉｏｎ」を伴うＩｎｔｅｒ-ｅＮＢハンドオーバにおいて、ＵＬ-ＰＤＣＰ-ＰＤＵを適切に処理することができる移動通信方法及び無線基地局を提供することができる。
【図面の簡単な説明】
【００２８】
【図１】本発明の第１の実施形態に係る移動通信システムの全体構成図である。
【図２】本発明の第１の実施形態に係る移動局無線基地局ｅＮＢ＃１の機能ブロック図である。
【図３】本発明の第１の実施形態に係る移動通信システムの動作の一例を示すシーケンス図である。
【図４】本発明の変更例１に係る移動通信システムの動作の一例を示すシーケンス図である。
【図５】本発明の変更例２に係る移動通信システムの動作の一例を示すシーケンス図である。
【発明を実施するための形態】
【００２９】
（本発明の第１の実施形態に係る移動通信システム）
図１乃至図３を参照して、本発明の第１の実施形態に係る移動通信システムについて説明する。
【００３０】
図１に示すように、本実施形態に係る移動通信システムは、ＬＴＥ方式の移動通信システムであって、ゲートウェイ装置Ｓ-ＧＷと、無線基地局ｅＮＢ＃１と、無線基地局ｅＮＢ＃２と、移動局ＵＥとを具備している。
【００３１】
本実施形態では、移動局ＵＥが、無線基地局ｅＮＢ＃１配下のセルから無線基地局ｅＮＢ＃２配下のセルへのＩｎｔｅｒ-ｅＮＢハンドオーバを行うケースについて説明する。
【００３２】
ここで、無線基地局ｅＮＢ＃１及び無線基地局ｅＮＢ＃２は、同じリリース又は機能に対応していてもよいし、異なるリリース又は機能に対応していてもよい。ここで、本実施形態に係る移動通信システムでは、無線基地局ｅＮＢ＃１は、Ｒｅｌｅａｓｅ-１０に対応しており、無線基地局ｅＮＢ＃２は、Ｒｅｌｅａｓｅ-８に対応しているものとする。
【００３３】
図２に示すように、無線基地局ｅＮＢ＃１は、受信部１１と、送信部１２と、ハンドオーバ制御部１３とを具備している。
【００３４】
受信部１１は、移動局ＵＥや無線基地局ｅＮＢ＃２やゲートウェイ装置Ｓ-ＧＷ等から各種信号を受信するように構成されており、送信部１２は、移動局ＵＥや無線基地局ｅＮＢ＃２やゲートウェイ装置Ｓ-ＧＷ等に対して各種信号を送信するように構成されている。
【００３５】
ハンドオーバ制御部１３は、上述のＩｎｔｅｒ-ｅＮＢハンドオーバに係る制御を行うように構成されている。
【００３６】
具体的には、上述のＩｎｔｅｒ-ｅＮＢハンドオーバにおいて、無線基地局ｅＮＢ＃２が、移動局ＵＥに対して、自身と移動局ＵＥとの間の全ての設定を一旦削除するように指示する場合、すなわち、情報要素「ｆｕｌｌ  ｃｏｎｆｉｇｕｒａｔｉｏｎ」を含む「Ｈａｎｄｏｖｅｒ  Ｃｏｍｍａｎｄ」を送信する場合、ハンドオーバ制御部１３は、受信に成功した全てのＵＬ-ＰＤＣＰ-ＰＤＵを破棄するように構成されていてもよい。
【００３７】
或いは、上述のＩｎｔｅｒ-ｅＮＢハンドオーバにおいて、無線基地局ｅＮＢ＃２によって送信された「Ｈａｎｄｏｖｅｒ  Ｒｅｑｕｅｓｔ  Ａｃｋ」によって、上りリンクデータ転送のパスの識別子が通知されていない場合に、すなわち、「Ｈａｎｄｏｖｅｒ  Ｒｅｑｕｅｓｔ  Ａｃｋ」によるＲＬＣ-ＡＭベアラの「Ｄａｔａ  Ｆｏｒｗａｒｄｉｎｇ」のＴＮＬ設定において、上りリンクにおけるＧＴＰ-ＩＤ及びＩＰアドレスが設定されていない場合に、ハンドオーバ制御部１３は、受信に成功した全てのＵＬ-ＰＤＣＰ-ＰＤＵを破棄するように構成されていてもよい。
【００３８】
或いは、上述のＩｎｔｅｒ-ｅＮＢハンドオーバにおいて、無線基地局ｅＮＢ＃２によって自身と移動局ＵＥとの間で設定されていたＲＬＣ-ＡＭベアラが設定できない場合に、例えば、無線基地局ｅＮＢ＃２で設定可能なベアラ数が上限数まで設定されている場合（Ｐａｒｔｉａｌハンドオーバ）に、ハンドオーバ制御部１３は、かかるＲＬＣ-ＡＭベアラを介して受信に成功した全てのＵＬ-ＰＤＣＰ-ＰＤＵを破棄するように構成されていてもよい。
【００３９】
以下、図３を参照して、本実施形態に係る移動通信システムの動作について説明する。
【００４０】
図３に示すように、ステップＳ１００１において、移動局ＵＥは、無線基地局ｅＮＢ＃１に対して「Ｍｅａｓｕｒｅｍｅｎｔ  Ｒｅｐｏｒｔ」を送信する。
【００４１】
無線基地局ｅＮＢ＃１は、かかる「Ｍｅａｓｕｒｅｍｅｎｔ  Ｒｅｐｏｒｔ」に応じて、移動局ＵＥの無線基地局ｅＮＢ＃１配下のセルから無線基地局ｅＮＢ＃２配下のセルへのＩｎｔｅｒ-ｅＮＢハンドオーバを行うことを決定し、ステップＳ１００２において、無線基地局ｅＮＢ＃２に対して、「Ｈａｎｄｏｖｅｒ  Ｒｅｑｕｅｓｔ」を送信する。
【００４２】
無線基地局ｅＮＢ＃２は、ステップＳ１００３において、かかる「Ｈａｎｄｏｖｅｒ  Ｒｅｑｕｅｓｔ」に応じて、「ｆｕｌｌ  ｃｏｎｆｉｇｕｒａｔｉｏｎ」を伴うＩｎｔｅｒ-ｅＮＢハンドオーバを行うことを決定し、ステップＳ１００４において、無線基地局ｅＮＢ＃１に対して、情報要素「ｆｕｌｌ  ｃｏｎｆｉｇｕｒａｔｉｏｎ」を含む「Ｈａｎｄｏｖｅｒ  Ｒｅｑｕｅｓｔ  ＡＣＫ」を送信する。
【００４３】
ここで、「Ｈａｎｄｏｖｅｒ  Ｒｅｑｕｅｓｔ  ＡＣＫ」において、ＲＬＣ-ＡＭベアラの「Ｄａｔａ  Ｆｏｒｗａｒｄｉｎｇ」のＴＮＬ設定において、上りリンクにおけるＧＴＰ-ＩＤ及びＩＰアドレスが設定されていなくてもよい。
【００４４】
無線基地局ｅＮＢ＃１は、ステップＳ１００５において、「ｆｕｌｌ  ｃｏｎｆｉｇｕｒａｔｉｏｎ」を実施し、すなわち、移動局ＵＥと無線基地局ｅＮＢ＃１との間の全ての設定を一旦削除し、ステップＳ１００６において、受信に成功した全てのＵＬ-ＰＤＣＰ-ＰＤＵ（Ｏｕｔ-ｏｆ-ｏｒｄｅｒのＵＬ-ＰＤＣＰ-ＰＤＵを含む）を転送することなく破棄すると決定し、ステップＳ１００７において、かかるＵＬ-ＰＤＣＰ-ＰＤＵを破棄する。
【００４５】
本実施形態に係る移動通信システムによれば、無線基地局ｅＮＢ＃１が、情報要素「ｆｕｌｌ  ｃｏｎｆｉｇｕｒａｔｉｏｎ」を検出した場合に、受信に成功した全てのＵＬ-ＰＤＣＰ-ＰＤＵを単純に破棄することで、簡易な実装で、「ｆｕｌｌ  ｃｏｎｆｉｇｕｒａｔｉｏｎ」を伴うＩｎｔｅｒ-ｅＮＢハンドオーバに対応することができる。
【００４６】
（変更例１）
以下、図４を参照して、本発明の変更例１に係る移動通信システムについて、上述の第１の実施形態に係る移動通信システムとの相違点に着目して説明する。
【００４７】
本変更例１に係る移動通信システムでは、移動局ＵＥの無線基地局ｅＮＢ＃１配下のセルから無線基地局ｅＮＢ＃２配下のセルへのＩｎｔｅｒ-ｅＮＢハンドオーバにおいて、無線基地局ｅＮＢ＃２が、移動局ＵＥに対して、自身と移動局ＵＥとの間の全ての設定を一旦削除するように指示する場合、送信部１２は、受信に成功した全てのＵＬ-ＰＤＣＰ-ＰＤＵをゲートウェイ装置Ｓ-ＧＷに対して送信するように構成されていてもよい。
【００４８】
或いは、上述のＩｎｔｅｒ-ｅＮＢハンドオーバにおいて、無線基地局ｅＮＢ＃２によって送信された「Ｈａｎｄｏｖｅｒ  Ｒｅｑｕｅｓｔ  Ａｃｋ」によって、上りリンクデータ転送のパスの識別子が通知されていない場合に、すなわち、「Ｈａｎｄｏｖｅｒ  Ｒｅｑｕｅｓｔ  Ａｃｋ」によるＲＬＣ-ＡＭベアラの「Ｄａｔａ  Ｆｏｒｗａｒｄｉｎｇ」のＴＮＬ設定において、上りリンクにおけるＧＴＰ-ＩＤ及びＩＰアドレスが設定されていない場合に、送信部１２は、受信に成功した全てのＵＬ-ＰＤＣＰ-ＰＤＵをゲートウェイ装置Ｓ-ＧＷに対して送信するように構成されていてもよい。
【００４９】
或いは、上述のＩｎｔｅｒ-ｅＮＢハンドオーバにおいて、無線基地局ｅＮＢ＃２によって自身と移動局ＵＥとの間で設定されていたＲＬＣ-ＡＭベアラが設定できない場合に、例えば、無線基地局ｅＮＢ＃２で設定可能なベアラ数が上限数まで設定されている場合（Ｐａｒｔｉａｌハンドオーバ）に、送信部１２は、受信に成功した全てのＵＬ-ＰＤＣＰ-ＰＤＵをゲートウェイ装置Ｓ-ＧＷに対して送信するように構成されていてもよい。
【００５０】
以下、図４を参照して、本変更例１に係る移動通信システムの動作について説明する。
【００５１】
図４に示すように、ステップＳ２００１〜Ｓ２００５の動作は、図３に示すステップＳ１００１〜Ｓ１００５の動作と同一である。
【００５２】
無線基地局ｅＮＢ＃１は、ステップＳ２００６において、受信に成功した全てのＵＬ-ＰＤＣＰ-ＰＤＵ（Ｏｕｔ-ｏｆ-ｏｒｄｅｒのＵＬ-ＰＤＣＰ-ＰＤＵを含む）について無線基地局ｅＮＢ＃２ではなくゲートウェイ装置Ｓ-ＧＷ（Ｓ１インターフェイス）に転送すると決定し、ステップＳ２００７において、ゲートウェイ装置Ｓ-ＧＷ（Ｓ１インターフェイス）に対して、かかるＵＬ-ＰＤＣＰ-ＰＤＵを転送する。
【００５３】
本変更例１に係る移動通信システムによれば、サーバ側のＴＣＰレイヤ機能が、シーケンス番号通りに受信できていないＵＬ-ＰＤＣＰ-ＰＤＵ（すなわち、Ｏｕｔ-ｏｆ-ｏｒｄｅｒのＵＬ-ＰＤＣＰ-ＰＤＵ）を受信し、下りリンクにおいて「Ｓｅｌｅｃｔｉｖｅ-ＡＣＫ」を送信することができれば、移動局ＵＥのＴＣＰレイヤ機能が、上述のＵＬ-ＰＤＣＰ-ＰＤＵが破棄されたことを検出して、かかるＵＬ-ＰＤＣＰ-ＰＤＵを再送することができ、ＲＴＯ（Ｒｅｔｒａｎｓｍｉｓｓｉｏｎ  Ｔｉｍｅ  Ｏｕｔ）によるＴＣＰスロースタートを回避することができる、すなわち、「ｆｕｌｌ  ｃｏｎｆｉｇｕｒａｔｉｏｎ」を伴うＩｎｔｅｒ-ｅＮＢハンドオーバにおける上りリンクのスループットの劣化を回避することができる。
【００５４】
（変更例２）
以下、図５を参照して、本発明の変更例２に係る移動通信システムについて、上述の第１の実施形態に係る移動通信システムとの相違点に着目して説明する。
【００５５】
本変更例２に係る移動通信システムでは、移動局ＵＥの無線基地局ｅＮＢ＃１配下のセルから無線基地局ｅＮＢ＃２配下のセルへのＩｎｔｅｒ-ｅＮＢハンドオーバにおいて、無線基地局ｅＮＢ＃２が、移動局ＵＥに対して、自身と移動局ＵＥとの間の全ての設定を一旦削除するように指示する場合、送信部１２は、受信に成功した全てのＵＬ-ＰＤＣＰ-ＰＤＵを無線基地局ｅＮＢ＃２に対して送信するように構成されていてもよい。
【００５６】
或いは、上述のＩｎｔｅｒ-ｅＮＢハンドオーバにおいて、無線基地局ｅＮＢ＃２によって自身と移動局ＵＥとの間で設定されていたＲＬＣ-ＡＭベアラが設定できない場合に、例えば、無線基地局ｅＮＢ＃２で設定可能なベアラ数が上限数まで設定されている場合（Ｐａｒｔｉａｌハンドオーバ）に、送信部１２は、受信に成功した全てのＵＬ-ＰＤＣＰ-ＰＤＵを無線基地局ｅＮＢ＃２に対して送信するように構成されていてもよい。
【００５７】
以下、図５を参照して、本変更例２に係る移動通信システムの動作について説明する。
【００５８】
図５に示すように、ステップＳ３００１〜Ｓ３００５の動作は、図３に示すステップＳ１００１〜Ｓ１００５の動作と同一である。
【００５９】
無線基地局ｅＮＢ＃１は、ステップＳ３００６において、受信に成功した全てのＵＬ-ＰＤＣＰ-ＰＤＵ（Ｏｕｔ-ｏｆ-ｏｒｄｅｒのＵＬ-ＰＤＣＰ-ＰＤＵを含む）について無線基地局ｅＮＢ＃２に転送すると決定し、ステップＳ３００７において、無線基地局ｅＮＢ＃２に対して、かかるＵＬ-ＰＤＣＰ-ＰＤＵを転送する。
【００６０】
ステップＳ３００８において、無線基地局ｅＮＢ＃２は、ゲートウェイ装置Ｓ-ＧＷ（Ｓ１インターフェイス）に対して、かかるＵＬ-ＰＤＣＰ-ＰＤＵを転送する。
【００６１】
本変更例２に係る移動通信システムによれば、サーバ側のＴＣＰレイヤ機能が、シーケンス番号通りに受信できていないＵＬ-ＰＤＣＰ-ＰＤＵ（すなわち、Ｏｕｔ-ｏｆ-ｏｒｄｅｒのＵＬ-ＰＤＣＰ-ＰＤＵ）を受信し、下りリンクにおいて「Ｓｅｌｅｃｔｉｖｅ-ＡＣＫ」を送信することができれば、移動局ＵＥのＴＣＰレイヤ機能が、上述のＵＬ-ＰＤＣＰ-ＰＤＵが破棄されたことを検出して、かかるＵＬ-ＰＤＣＰ-ＰＤＵを再送することができ、ＲＴＰ（Ｒｅｔｒａｎｓｍｉｓｓｉｏｎ  Ｔｉｍｅ  Ｏｕｔ）によるＴＣＰスロースタートを回避することができる、すなわち、「ｆｕｌｌ  ｃｏｎｆｉｇｕｒａｔｉｏｎ」を伴うＩｎｔｅｒ-ｅＮＢハンドオーバにおける上りリンクのスループットの劣化を回避することができる。
【００６２】
以上に述べた本実施形態の特徴は、以下のように表現されていてもよい。
【００６３】
本実施形態の第１の特徴は、移動局ＵＥが、無線基地局ｅＮＢ＃１（第１無線基地局）配下のセルから無線基地局ｅＮＢ＃２（第２無線基地局）配下のセルへのハンドオーバを行う移動通信方法であって、かかるハンドオーバにおいて、無線基地局ｅＮＢ＃２が、移動局ＵＥに対して、移動局ＵＥと無線基地局ｅＮＢ＃１との間の全ての設定を一旦削除するように指示する場合、無線基地局ｅＮＢ＃１が、受信に成功した全てのＵＬ-ＰＤＣＰ-ＰＤＵを破棄する工程を有することを要旨とする。
【００６４】
本実施形態の第２の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２が、移動局ＵＥに対して、移動局ＵＥと無線基地局ｅＮＢ＃１との間の全ての設定を一旦削除するように指示する場合、無線基地局ｅＮＢ＃１が、受信に成功した全てのＵＬ-ＰＤＣＰ-ＰＤＵをゲートウェイ装置Ｓ-ＧＷに対して送信する工程を有することを要旨とする。
【００６５】
本実施形態の第３の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２が、移動局ＵＥに対して、移動局ＵＥと無線基地局ｅＮＢ＃１との間の全ての設定を一旦削除するように指示する場合、無線基地局ｅＮＢ＃１が、受信に成功した全てのＵＬ-ＰＤＣＰ-ＰＤＵを無線基地局ｅＮＢ＃２に対して転送する工程と、無線基地局ｅＮＢ＃２が、受信したＵＬ-ＰＤＣＰ-ＰＤＵをゲートウェイ装置Ｓ-ＧＷに対して送信する工程とを有することを要旨とする。
【００６６】
本実施形態の第４の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２によって送信された「Ｈａｎｄｏｖｅｒ  Ｒｅｑｕｅｓｔ  Ａｃｋ（ハンドオーバ要求応答信号）」によって、上りリンクデータ転送用のパスの識別子が通知されていない場合に、無線基地局ｅＮＢ＃１が、受信に成功した全てのＵＬ-ＰＤＣＰ-ＰＤＵを破棄する工程を有することを要旨とする。
【００６７】
本実施形態の第５の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２によって送信された「Ｈａｎｄｏｖｅｒ  Ｒｅｑｕｅｓｔ  Ａｃｋ」によって、上りリンクデータ転送用のパスの識別子が通知されていない場合に、無線基地局ｅＮＢ＃１が、受信に成功した全てのＵＬ-ＰＤＣＰ-ＰＤＵをゲートウェイ装置Ｓ-ＧＷに対して送信する工程を有することを要旨とする。
【００６８】
本実施形態の第６の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２によって無線基地局ｅＮＢ＃１と移動局ＵＥとの間で設定されていたＲＬＣ-ＡＭベアラが設定できない場合に、無線基地局ｅＮＢ＃１が、かかるＲＬＣ-ＡＭベアラを介して受信に成功した全てのＵＬ-ＰＤＣＰ-ＰＤＵを破棄する工程を有することを要旨とする。
【００６９】
本実施形態の第７の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２によって無線基地局ｅＮＢ＃１と移動局ＵＥとの間で設定されていたＲＬＣ-ＡＭベアラが設定できない場合に、無線基地局ｅＮＢ＃１が、かかるＲＬＣ-ＡＭベアラを介して受信に成功した全てのＵＬ-ＰＤＣＰ-ＰＤＵを無線基地局ｅＮＢ＃２に転送する工程を有することを要旨とする。
【００７０】
本実施形態の第８の特徴は、移動局ＵＥが、無線基地局ｅＮＢ＃１配下のセルから無線基地局ｅＮＢ＃２配下のセルへのハンドオーバを行う移動通信方法であって、かかるハンドオーバにおいて、無線基地局ｅＮＢ＃２によって無線基地局ｅＮＢ＃１と移動局ＵＥとの間で設定されていたＲＬＣ-ＡＭベアラが設定できない場合に、無線基地局ｅＮＢ＃１が、かかるＲＬＣ-ＡＭベアラを介して受信に成功した全てのＵＬ-ＰＤＣＰ-ＰＤＵを無線基地局ｅＮＢ＃２に対して転送する工程と、無線基地局ｅＮＢ＃２が、受信したＵＬ-ＰＤＣＰ-ＰＤＵをゲートウェイ装置Ｓ-ＧＷに対して送信する工程とを有することを要旨とする。
【００７１】
本実施形態の第９の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２が、移動局ＵＥに対して、自身と移動局ＵＥとの間の全ての設定を一旦削除するように指示する場合、受信に成功した全てのＵＬ-ＰＤＣＰ-ＰＤＵを破棄するように構成されているハンドオーバ制御部１３を具備することを要旨とする。
【００７２】
本実施形態の第１０の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２が、移動局ＵＥに対して、自身と移動局ＵＥとの間の全ての設定を一旦削除するように指示する場合、受信に成功した全てのＵＬ-ＰＤＣＰ-ＰＤＵを無線基地局ｅＮＢ＃２又はゲートウェイ装置Ｓ-ＧＷに対して送信するように構成されている送信部１２を具備することを要旨とする。
【００７３】
本実施形態の第１１の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２によって送信された「Ｈａｎｄｏｖｅｒ  Ｒｅｑｕｅｓｔ  Ａｃｋ」によって、上りリンクデータ転送のパスの識別子が通知されていない場合に、受信に成功した全てのＵＬ-ＰＤＣＰ-ＰＤＵを破棄するように構成されているハンドオーバ制御部１３を具備することを要旨とする。
【００７４】
本実施形態の第１２の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２によって送信された「Ｈａｎｄｏｖｅｒ  Ｒｅｑｕｅｓｔ  Ａｃｋ」によって、上りリンクデータ転送のパスの識別子が通知されていない場合に、受信に成功した全てのＵＬ-ＰＤＣＰ-ＰＤＵをゲートウェイ装置Ｓ-ＧＷに対して送信するように構成されている送信部１２を具備することを要旨とする。
【００７５】
本実施形態の第１３の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２によって自身と移動局ＵＥとの間で設定されていたＲＬＣ-ＡＭベアラが設定できない場合に、かかるＲＬＣ-ＡＭベアラを介して受信に成功した全てのＵＬ-ＰＤＣＰ-ＰＤＵを破棄するように構成されているハンドオーバ制御部１３を具備することを要旨とする。
【００７６】
本実施形態の第１４の特徴は、移動局ＵＥが、無線基地局ｅＮＢ＃１配下のセルから無線基地局ｅＮＢ＃２配下のセルへのハンドオーバを行う際に、無線基地局ｅＮＢ＃１として動作することができる無線基地局ｅＮＢであって、かかるハンドオーバにおいて、無線基地局ｅＮＢ＃２によって自身と移動局ＵＥとの間で設定されていたＲＬＣ-ＡＭベアラが設定できない場合に、かかるＲＬＣ-ＡＭベアラを介して受信に成功した全てのＵＬ-ＰＤＣＰ-ＰＤＵを無線基地局ｅＮ＃２又はゲートウェイ装置Ｓ-ＧＷに送信するように構成されている送信部１２を具備することを要旨とする。
【００７７】
なお、上述の移動局ＵＥや無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２内に設けられていてもよい。また、かかる記憶媒体及びプロセッサは、ディスクリートコンポーネントとして移動局ＵＥや無線基地局ｅＮＢ＃１/ｅＮＢ＃２内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８１】
Ｓ-ＧＷ…ゲートウェイ装置
ｅＮＢ＃１、ｅＮＢ＃２…無線基地局
ＵＥ…移動局
１１…受信部
１２…送信部
１３…ハンドオーバ制御部
【図１】
2015050592.tif 000003
【図２】
2015050592.tif 000004
【図３】
2015050592.tif 000005
【図４】
2015050592.tif 000006
【図５】
2015050592.tif 000007
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
移動局が、第１無線基地局配下のセルから第２無線基地局配下のセルへのハンドオーバを行う移動通信方法であって、
前記ハンドオーバにおいて、上りリンクデータ転送用のパスの識別子が前記第２無線基地局によって送信されたハンドオーバ要求応答信号によって通知されていない場合に、前記第１無線基地局が、受信に成功した全てのＵＬ-ＰＤＣＰ-ＰＤＵを破棄する工程を有することを特徴とする移動通信方法。
【請求項２】
移動局が、第１無線基地局配下のセルから第２無線基地局配下のセルへのハンドオーバを行う移動通信方法であって、
前記ハンドオーバにおいて、上りリンクデータ転送用のパスの識別子が前記第２無線基地局によって送信されたハンドオーバ要求応答信号によって通知されていない場合に、前記第１無線基地局が、受信に成功した全てのＵＬ-ＰＤＣＰ-ＰＤＵをゲートウェイ装置に対して送信する工程を有することを特徴とする移動通信方法。
【請求項３】
移動局が、第１無線基地局配下のセルから第２無線基地局配下のセルへのハンドオーバを行う移動通信方法であって、
前記ハンドオーバにおいて、前記第１無線基地局と前記移動局との間で設定されていたＲＬＣ-ＡＭベアラが前記第２無線基地局によって設定できない場合に、前記第１無線基地局が、該ＲＬＣ-ＡＭベアラを介して受信に成功した全てのＵＬ-ＰＤＣＰ-ＰＤＵを破棄する工程を有することを特徴とする移動通信方法。
【請求項４】
移動局が、第１無線基地局配下のセルから第２無線基地局配下のセルへのハンドオーバを行う移動通信方法であって、
前記ハンドオーバにおいて、前記第１無線基地局と前記移動局との間で設定されていたＲＬＣ-ＡＭベアラが前記第２無線基地局によって設定できない場合に、前記第１無線基地局が、該ＲＬＣ-ＡＭベアラを介して受信に成功した全てのＵＬ-ＰＤＣＰ-ＰＤＵをゲートウェイ装置に送信する工程を有することを特徴とする移動通信方法。
【請求項５】
移動局が、第１無線基地局配下のセルから第２無線基地局配下のセルへのハンドオーバを行う移動通信方法であって、
前記ハンドオーバにおいて、前記第１無線基地局と前記移動局との間で設定されていたＲＬＣ-ＡＭベアラが前記第２無線基地局によって設定できない場合に、前記第１無線基地局が、該ＲＬＣ-ＡＭベアラを介して受信に成功した全てのＵＬ-ＰＤＣＰ-ＰＤＵを該第２無線基地局に対して転送する工程と、
前記第２無線基地局が、受信した前記ＵＬ-ＰＤＣＰ-ＰＤＵをゲートウェイ装置に対して送信する工程とを有することを特徴とする移動通信方法。
【請求項６】
移動局が、第１無線基地局配下のセルから第２無線基地局配下のセルへのハンドオーバを行う際に、該第１無線基地局として動作することができる無線基地局であって、
前記ハンドオーバにおいて、上りリンクデータ転送用のパスの識別子が前記第２無線基地局によって送信されたハンドオーバ要求応答信号によって通知されていない場合に、受信に成功した全てのＵＬ-ＰＤＣＰ-ＰＤＵを破棄するように構成されている制御部を具備することを特徴とする無線基地局。
【請求項７】
移動局が、第１無線基地局配下のセルから第２無線基地局配下のセルへのハンドオーバを行う際に、該第１無線基地局として動作することができる無線基地局であって、
前記ハンドオーバにおいて、上りリンクデータ転送用のパスの識別子が前記第２無線基地局によって送信されたハンドオーバ要求応答信号によって通知されていない場合に、受信に成功した全てのＵＬ-ＰＤＣＰ-ＰＤＵをゲートウェイ装置に対して送信するように構成されている送信部を具備することを特徴とする無線基地局。
【請求項８】
移動局が、第１無線基地局配下のセルから第２無線基地局配下のセルへのハンドオーバを行う際に、該第１無線基地局として動作することができる無線基地局であって、
前記ハンドオーバにおいて、前記第１無線基地局と前記移動局との間で設定されていたＲＬＣ-ＡＭベアラが前記第２無線基地局によって設定できない場合に、該ＲＬＣ-ＡＭベアラを介して受信に成功した全てのＵＬ-ＰＤＣＰ-ＰＤＵを破棄するように構成されている制御部を具備することを特徴とする無線基地局。
【請求項９】
移動局が、第１無線基地局配下のセルから第２無線基地局配下のセルへのハンドオーバを行う際に、該第１無線基地局として動作することができる無線基地局であって、
前記ハンドオーバにおいて、前記第１無線基地局と前記移動局との間で設定されていたＲＬＣ-ＡＭベアラが前記第２無線基地局によって設定できない場合に、該ＲＬＣ-ＡＭベアラを介して受信に成功した全てのＵＬ-ＰＤＣＰ-ＰＤＵを該第２無線基地局又はゲートウェイ装置に送信するように構成されている送信部を具備することを特徴とする無線基地局。